(57)【要約】【課題】  足がひっかかりにくいにもかかわらず、使用場所を選ばない伝送ケーブル２を提供するとともに、この伝送ケーブル２に発光ユニット１を取り付けること。【解決手段】  伝送ケーブル２は、可撓性を有する伝送線９と、伝送線９が取り付けられている平板状の複数の支持部材１０と、各支持部材１０の端部を相互に結ぶ対応する伝送線９との長さ以下の鎖１８と、鎖１８の両端をそれぞれ支持部材１０に取り付ける取付部材と、支持部材１０の一方に取り付けられている伝送線９の押さえ部材１９と、支持部材１０の他方に取り付けられている発光ユニット１とを備える。【選択図】  図６
2006166523.tif 000002
【特許請求の範囲】
【請求項１】
可撓性を有する伝送線と、前記伝送線が取り付けられている平板状の複数の支持部材とを備えることを特徴とする伝送ケーブル。
【請求項２】
前記支持部材は、断面が略台形状であることを特徴とする請求項1記載の伝送ケーブル。
【請求項３】
前記伝送線は、断面の長手方向が前記支持部材の平面方向に対して垂直となる態様で取り付けられていることを特徴とする請求項１または２記載の伝送ケーブル。
【請求項４】
前記伝送線は、断面の長手方向が前記支持部材の平面方向に対して並行となる態様で取り付けられており、かつ、前記支持部材間で捻って反転されていることを特徴とする請求項１または２記載の伝送ケーブル。
【請求項５】
前記支持部材間に介在し、当該支持部材間に位置する伝送線に引っ張り力がかかることを防止する防止部材を備えることを特徴とする請求項１から４のいずれか記載の伝送ケーブル。
【請求項６】
前記防止部材は、前記支持部材の端部を相互に結ぶワイヤ線であり、
当該ワイヤ線は、対応する伝送線以下の長さであることを特徴とする請求項５記載の伝送ケーブル。
【請求項７】
前記防止部材は、前記支持部材の端部を相互に結ぶ鎖であり、
当該鎖は、対応する伝送線以下の長さであることを特徴とする請求項５記載の伝送ケーブル。
【請求項８】
請求項１から７のいずれか記載の伝送ケーブルと、前記伝送ケーブルの支持部材のいくつかに取り付けられており前記伝送線を通じて供給される電力を用いて発光する発光素子とを備えることを特徴とするケーブルユニット。
【発明の詳細な説明】
【技術分野】
【０００１】
本発明は、伝送ケーブルに関し、特に、電源延長コード、ＬＡＮケーブルなどを含む伝送ケーブルに関する。
また、本発明は、上記伝送ケーブルを備えるケーブルユニットに関する。
【背景技術】
【０００２】
従来、電源延長ケーブルは、電源線の一旦に設けられている電源プラグを、商用電源、バッテリ等に接続し、電源等から離れた場所へ電力を供給できるようにしている。また、ＬＡＮケーブルは、パーソナルコンピュータなどを相互に接続し、パーソナルコンピュータ間でデータの送受信を行えるようにしている。
【０００３】
伝送ケーブルは、可撓性を有しているものが大半であり、このことに起因して、使用時に、伝送線の一部が丸まるなどして床などから離れ、中空に位置することもある。そのため、この部分に足が引っかかると、プラグがコンセントなどから抜けるなどの不都合があった。
【０００４】
特許文献１には、コード本体を、両面接着テープを用いて、床などに止める延長コードについて記載されている。この延長コードであれば、伝送線の一部が、床などから離れて中空に位置することがないので、上記不都合は回避できる。
【０００５】
【特許文献１】特開平１１−５４２２６号公報
【発明の開示】
【発明が解決しようとする課題】
【０００６】
しかし、特許文献１に記載されている延長コードは、一旦、床などに両面接着テープで止めてしまうと、両面接着テープを剥がさない限り、別の場所で使用することができない。したがって、いろいろな場所での使用に不向きである。また、この延長コードは、延長コードを止める場所が少ない屋外などでの使用には不向きである。
【０００７】
そこで、本発明は、足がひっかかりにくいにもかかわらず、使用場所を選ばない伝送ケーブルを提供することを課題とする。
【課題を解決するための手段】
【０００８】
上記課題を解決するために、本発明の伝送ケーブルは、可撓性を有する伝送線と、前記伝送線が取り付けられている平板状の複数の支持部材とを備えることを特徴とする。
【０００９】
本発明によると、各支持部材の自重により床などから離れにくく、更に各支持部材が平板状であるので、使用時に床などから離れて中空に位置する部分がなくなり、伝送ケーブルに足が引っかかりにくくなる。しかも、本発明は、支持部材間で伝送ケーブルを使用時に平面方向に曲げて自由に這わせることができる。
【００１０】
なお、前記支持部材を、断面が略台形状とすると、伝送ケーブルに足が更に引っかかりにくくなるので好ましい。
【００１１】
前記伝送線が、断面の長手方向が前記支持部材の平面方向に対して垂直となる態様で取り付けられていると、使用時に、支持部材間で伝送ケーブルを平面方向に曲げやすいので好ましい。
【００１２】
前記伝送線が、断面の長手方向が前記支持部材の平面方向に対して並行となる態様で取り付けられており、かつ、前記支持部材間で捻って反転されていると、使用時に、支持部材間で伝送ケーブルを平面方向に曲げやすいので好ましい。特に、伝送ケーブル本体の高さを抑制できるという効果もある。
【００１３】
前記支持部材間に介在し、当該支持部材間に位置する伝送線に引っ張り力がかかることを防止する防止部材を備えると、支持部材間における伝送線の断線が防止できるので好ましい。特に、前記防止部材として前記支持部材の端部を相互に結ぶワイヤ線又は鎖を用い、当該ワイヤ線又は鎖を対応する伝送線以下の長さとすると、簡易な構造で、支持部材間における伝送線に引っ張り力をかかりにくくすることができるので好ましい。
【００１４】
また、本発明のケーブルユニットは、伝送ケーブルと、前記伝送ケーブルの支持部材のいくつかに取り付けられており前記伝送線を通じて供給される電力を用いて発光する発光素子とを備えることを特徴とする。発光素子を発光させるにより、夜間などの暗所でのガイド、保安灯として用いることができる。
【発明を実施するための最良の形態】
【００１５】
以下、本発明の実施形態について、図面を用いて説明する。
【００１６】
図１は、本発明の伝送ケーブル２を工事現場で使用する際の実施例を示す概念的な平面図である。図１には、工事現場に置かれた作業車両１００を示している。作業車両１００の周辺であって人が行き来する場所には、電源線を含む伝送ケーブル２を伸展してある。伝送ケーブル２は、例えば全長が１４．５ｍである。伝送ケーブル２には、長さ５〜１０ｃｍ×幅１〜２ｃｍ×０．５〜１ｃｍ程度の大きさの発光ユニット１が、例えば１．５ｍ間隔で取り付けられている。具体的には、伝送ケーブル２の電源線と発光ユニット１とが、電気的に接続されている。発光ユニット１は、発光ダイオード（例えば、高輝度赤色ＬＥＤ）などの発光素子を備える。
【００１７】
後述するように、伝送ケーブル２は、電源線が取り付けられている平板状の複数の支持部材を含む。各支持部材の長さは、例えば１．５ｍとしてある。発光ユニット１は、各支持部材の例えば端部に取り付けられている。
【００１８】
伝送ケーブル２の一端には、伝送ケーブル２本体を巻き取り収容するドラムを含むリール５が置かれている。伝送ケーブル２の他端には、コネクター１４を介して、延長コード１５が接続されている。延長コード１５の先端には、作業車両１００に内蔵されているバッテリ４に接続する接続プラグ１３が設けられている。
【００１９】
なお、伝送ケーブル２は、平面方向に曲げられるように構成されており、ここでは、Ａ点、Ｂ点において、それぞれ曲げている。
【００２０】
図１に示すような態様で伝送ケーブル２を伸展し、伝送ケーブル２をコネクター１４、延長コード１５を通じて、バッテリ４に電気的に接続すると、発光ユニット１が通電して、発光素子から光が発せられる。
【００２１】
図２は、図１に示す伝送ケーブル２の発光ユニット１にカラーコーン３をかぶせた状態を示す図である。図２に示すように、発光ユニット１が、伝送ケーブル２の上側を向くように、伝送ケーブル２を伸展する。そして、発光ユニット１にカラーコーン３等をかぶせる。こうすると、発光ユニット１からの光が、カラーコーン３を介して外部に出射されるようになるので、この光を遠方からも感知しやすくなり、これらが保安灯として機能することになる。
【００２２】
図３（Ａ）は、図１に示す伝送ケーブル２の発光ユニット１近傍の模式的な側面図である。図３（Ｂ）は、図３（Ａ）の模式的な平面図である。図３には、複数（図３では５つ）のＬＥＤ素子６を備えている発光ユニット１を示している。発光ユニット１についての内部構造等の説明については後述する。伝送ケーブル２は、可撓性を有する伝送線９と、伝送線９が取り付けられている平板状の複数の支持部材１０とを備える。ここで、本実施形態では、各支持部材１０は、長さ１．５ｍ×幅２〜３ｃｍ×高さ５ｍｍ程度で、例えば８つ用いられている。
【００２３】
伝送線９は、例えば２〜３本の電線を塩化ビニールなどで互いに絶縁した状態で被覆している。図３には２芯ケーブルを示している。支持部材１０は、例えばゴムから成る。このため、リール５のドラムに巻き取ることも可能になる。支持部材１０は、断面で見た場合に上側角部がカットされた略台形状としている。各支持部材１０は、上記寸法の場合、３５０ｇ〜４５０ｇになる。このため、支持部材１０は、自重により路面から離れにくくなる。各支持部材１０は、平板状であり、それほど高さがないので、伝送ケーブルに足などが引っかかりにくくなる。
【００２４】
各支持部材１０は、断面が長方形状であってもよいが、特に、断面が略台形状となると、伝送ケーブル２に足等が更に引っかかりにくくなるので好ましい。このため、伝送ケーブル２に足等を引っかけることにより、バッテリ４から接続プラグ１３が外れるという事態が減少する。
【００２５】
ここで、略台形状とは、図３（Ｂ）に示すような形状のほか、更に上側角部のカット領域を増やして垂直側面をなくした台形状や、カット角を鋭角にした三角形状、アーチ形状を含む。
【００２６】
図４（Ａ）は、図３（Ａ）のａ−ａ’間の断面図である。図４（Ｂ）は、図４（Ａ）のｂ−ｂ’間の断面図である。図４（Ｃ）は、図４（Ａ）のｃ−ｃ’間の断面図である。図４（Ａ）には、各ＬＥＤ素子６が、ＬＥＤ保持基板８の上面で保持されている状態を示している。ＬＥＤ素子６は、互いに電気的に直列接続された状態で保持されている。
【００２７】
ＬＥＤ保持基板８の両端底面には、アノード給電刃７ａおよびカソード給電刃７ｂが各々形成されている。アノード給電刃７ａおよびカソード給電刃７ｂには、５つのＬＥＤ素子６のうち両端に位置するものが、それぞれ接続されている。ＬＥＤ素子６の対極には、アルミニウムなどから成るプレート１２が設けられている。プレート１２の四隅には、螺子穴１６が形成されている。発光ユニット１の筐体であってＬＥＤ保持基板８の四隅には、螺子穴１６に対応する螺子穴１７が形成されている。
【００２８】
図４（Ｂ）に示すように、伝送線のアノード側およびカソード側に、それぞれ、アノード給電刃７ａおよびカソード給電刃７ｂが接続されている。この接続は、アノード給電刃７ａおよびカソード給電刃７ｂの形状に起因して、アノード給電刃７ａおよびカソード給電刃７ｂを、伝送線の上部に位置合わせした状態で、発光ユニット１側を押下するだけで行うことができる。その後、螺子穴１６、螺子穴１７に、螺子を取り付けることにより、発光ユニット１を伝送ケーブル２に取り付けることができる。
【００２９】
ここで、プレート１２を設けることにより、伝送ケーブル２が路面上でリール５に巻き取りされたり、リール５から引き出したりする際に、螺子穴１６、螺子穴１７に、取り付ける螺子だけに強い力がかかることで、螺子が発光ユニット１の筐体から外れるということを防止している。なお、発光ユニット１は、筐体内に水や外気が進入しないように、樹脂などで覆うことで、密閉してある。
【００３０】
図４（Ｃ）には、支持部材１０の上部に凹部が形成され、ここに、伝送線９が、断面の長手方向が支持部材１０の平面方向に対して垂直となる態様で取り付けられている。伝送線９は、ここに発光ユニット１を取り付けやすくするために、支持部材１０の凹部には半分強だけが埋まるようにしてある。伝送線９と支持部材１０とは、接着剤等により接続されている。このような態様で、伝送線９を支持部材１０に取り付けると、既述のように、伝送ケーブル２に対して、容易に発光ユニット１を取り付けることが可能になる。
【００３１】
しかし、この態様の場合には、支持部材１０間において伝送線９が、支持部材１０の平面方向に対して曲がりにくい。実際に、支持部材１０間で伝送線９を曲げてみると、伝送線９の内周と外周との距離が相対的に長いことに起因して、各支持部材１０の端部が浮き上がってしまう。こうなると、伝送ケーブル２に足がひっかかり易くなるという事態が生じる。
【００３２】
そこで、本実施形態では、支持部材１０間で、伝送線９を捻って反転させている。こうすると、支持部材１０間で伝送線９を曲げた場合にも、伝送線９の捻れにより、伝送線９の内周と外周との距離が相対的に短いことに起因して、各支持部材１０の端部が浮き上がらない。したがって、伝送ケーブル２のいずれの位置においても、足がひっかかりにくいという状態を達成できる。
【００３３】
別の実施形態として、伝送線９を、断面の長手方向が支持部材１０の平面方向に対して垂直となる態様で取り付けてもよい。すなわち、図４（Ｃ）では、伝送線９を寝かせた状態で支持部材１０に取り付けているが、伝送線９を起こした状態で支持部材１０に取り付けてもよい。こうすると、上記のように、伝送線９を捻らなくても、支持部材１０間で伝送線９を曲げた場合に、各支持部材１０の端部が浮き上がる事態を防止できる。なお、この態様で伝送線９を支持部材１０に取り付ける場合には、発光ユニット１の形状を変更するなどしてＬＥＤ素子保持基板８側と伝送線９側とを電気的に接続すればよい。具体的には、例えば、ＬＥＤ素子保持基板８を冂の字状とし、この各側面内壁から、先端が対向する状態でアノード給電刃７ａおよびカソード給電刃７ｂを取り付ければよい。
【００３４】
更なる別の実施形態として、伝送線９は、全体として、断面が円形のものを用いてもよい。具体的には、このような伝送線９は、ＬＥＤ素子６を点滅させる場合に採用される。すなわち、発光ユニット１内にＬＥＤ発光用ＩＣを設け、伝送線９として、上記カソード、アノードの電線のほかに、ＬＥＤ発光用ＩＣにＬＥＤ素子６を点滅させるための、オン／オフ制御信号を伝送する制御信号線も備えるに場合には、これら３本の線を一体として被覆することで、伝送線９が、断面円形状のものとなる。この場合においても、伝送線９を捻らなくても、支持部材１０間で伝送線９を曲げた場合に、各支持部材１０の端部が浮き上がるという事態を防止できる。
【００３５】
図５は、図１に示す伝送ケーブル２の支持部材１０間の平面図である。図６は、図５の斜視図である。図５，図６には、支持部材１０の一方に支持部材１０から伝送線９がとれないようにする押さえ部材１９が取り付けられ、支持部材１０の他方に発光ユニット１が取り付けられている状態を示している。支持部材１０の端部は、相互にステンレスなどから成る鎖１８で結ばれている。鎖１８の両端は、それぞれ、図示しない取付部材を用いて、支持部材１０の裏面に取り付けられている。ここで、鎖１８の長さは、対応する伝送線９との長さ以下としている。こうすることで、支持部材１０が引っ張られたときにも、支持部材１０間の伝送線９に強い力が加わることが防止され、この位置での伝送線９の断線が生じにくくなる。なお、鎖１８に代えてワイヤ線を用いてもよい。
【００３６】
なお、本実施形態では、鎖１８の取付部材の少なくとも一方側で、鎖１８の長さを変更できるようにしている。このため、例えば、伝送線９を曲げる必要がない部分、すなわち、支持部材１０間のうち、図１に示す、Ａ点、Ｂ点以外では、鎖１８の長さと、対応する伝送線９との長さとを等しくすることで、図５に示すような、支持部材１０間での伝送線９の浮き上がりを防止することができるようにしている。
【００３７】
さらに、支持部材１０間における伝送線９の断線を生じにくくするために、この位置で伝送線９をゴムパイプなどで覆うことも可能である。更には、支持部材１０上の伝送線９もプラスチックカバーなどで覆うことも可能である。
【００３８】
別の実施形態として、支持部材１０間の伝送線９に強い力が加わることを防止するためには、例えば、支持部材１０の端部底面に、各々、所要の大きさの金属プレートを取り付け、これらを重ね合わせた状態でビス等を用いて回転可能に接続することも可能である。
【００３９】
以上、本実施形態では、発光ユニット１付き伝送ケーブル２を、工事現場における作業車両１００の周辺で用いる例を示したが、発光ユニット１付き伝送ケーブル２は、工事現場の他の場所でも用いることができる。例えば、建設中のエレベータ設置用の開口部の周辺を囲うことや、穴の周辺を囲うことも可能である。さらには、工事現場に限らず、花火会場や映画館などの暗所における道標用の光源、イルミネーション、広告用ディスプレイなどに用いることも可能である。この場合には、発光ユニット１付き伝送ケーブル２は、バッテリ４に接続してもいいし、商用電源等に接続してもよい。
【００４０】
また、伝送ケーブル２に発光ユニット１を取り付ける場合には、これをヘリコプターの着陸帯指示用とすることも可能である。したがって、例えば、地震等が発生し、被災地に電気の供給がストップしても、発光ユニット１付き伝送ケーブル２は、自動車などのバッテリ４を電源として使用することが可能であるので、被災地への援助物資の空輸が夜間でも行いやすくなる。また、地震により道路の一部が陥没等した場合には、その領域を発光ユニット１付き伝送ケーブル２で囲むことで、保安を担保することができる。
【００４１】
さらに、伝送ケーブル２には、ＬＡＮケーブル、電源延長ケーブル、テレビの映像受信用ケーブル等の様々なケーブルが含まれ、屋外のみならず、家庭内、工場内などの屋内でも用いることができる。
【産業上の利用可能性】
【００４２】
本発明は、配線業、建築業、建築業、土木業、災害復旧などの各種産業において利用することが可能である。
【図面の簡単な説明】
【００４３】
【図１】本発明の伝送ケーブル２を工事現場で使用する際の実施例を示す概念的な平面図である。
【図２】図１に示す伝送ケーブル２の発光ユニット１にカラーコーン３をかぶせた状態を示す図である。
【図３】図１に示す伝送ケーブル２の発光ユニット１近傍の模式的な側面図及び平面図である。
【図４】図３の断面図である。
【図５】図１に示す伝送ケーブル２の支持部材１０間の側面図である。
【図６】図５の斜視図である。
【符号の説明】
【００４４】
１  発光ユニット
２  伝送ケーブル
３  カラーコーン
４  バッテリ
５  リール
６  ＬＥＤ素子
７  給電刃
８  ＬＥＤ保持基板
９  伝送線
１０  支持部材
１２  プレート
１３  接続プラグ
１４  コネクター
１５  延長コード
１６，１７  螺子穴
１８  鎖
１９  押さえ部材
１００  作業車両
【図１】
2006166523.tif 000003
【図２】
2006166523.tif 000004
【図３】
2006166523.tif 000005
【図４】
2006166523.tif 000006
【図５】
2006166523.tif 000007
【図６】
2006166523.tif 000008